(57)【要約】【課題】展示のための吊り下げと把持の双方が可能であり、フック（吊り下げ部）を把持部に出し入れする必要がなく、吊り下げ部と本体部を一体に成形することができる、衣服用ハンガーを提供すること。【解決手段】吊り下げ部２０と本体部１０とが一体に形成された衣服用ハンガー１であって、吊り下げ部２０は、所定の上側曲率半径Ｒ１を有して形成された上側曲面部２４Ａと、上側曲率半径Ｒ１未満の曲率半径であって、展示用バー１００に吊り下げるための所定の第一曲率半径Ｒ３を有して形成された下側曲面部２４Ｂを有する。【選択図】図３
2019166251.tif 000002
【特許請求の範囲】
【請求項１】
吊り下げ部と本体部とが一体に形成された衣服用ハンガーであって、
前記吊り下げ部は、
所定の上側曲率半径を有して形成された上側曲面部と、
前記上側曲率半径未満の曲率半径であって、展示用バーに吊り下げるための所定の第一曲率半径を有して形成された下側曲面部と、
を有する、
衣服用ハンガー。
【請求項２】
前記下側曲面部は、さらに、前記上側曲率半径未満の曲率半径であって、前記第一曲率半径以下の曲率半径である第二曲率半径を有して形成される、
を有する、
請求項１に記載の衣服用ハンガー。
【請求項３】
前記上側曲率半径は、人間の手の平の曲率半径に基づいて規定されており、前記第二曲率半径は、人間の手の指の曲率半径に基づいて規定されている、
請求項２に記載の衣服用ハンガー。
【請求項４】
前記上側曲率半径は、１００ミリメートル（ｍｍ）以上３５０ミリメートル（ｍｍ）以下であり、
前記第一曲率半径は、１０ミリメートル（ｍｍ）以上３５ミリメートル（ｍｍ）以下であり、
前記第二曲率半径は、５ミリメートル（ｍｍ）以上３０ミリメートル（ｍｍ）以下である、
請求項３に記載の衣服用ハンガー。
【請求項５】
前記第一曲率半径以上の曲率半径である第三曲率半径を有する第二下側曲面部を有する、
請求項１に記載の衣服用ハンガー。
【発明の詳細な説明】
【技術分野】
【０００１】
本発明は、衣服用ハンガーに関する。
【背景技術】
【０００２】
従来、被服量販店において、顧客がスーツなどの被服を持ち帰るとき、樹脂製の持ち運び用ハンガーが広く使用されている（例えば、特許文献１）。
【先行技術文献】
【特許文献】
【０００３】
【特許文献１】特開２００４−２４６３６号公報
【発明の概要】
【発明が解決しようとする課題】
【０００４】
上記のようなハンガーは、店舗における展示の際には、展示棚のバー（丸棒）に吊り下げられ、顧客が店舗から商品である被服を持ち帰るときには、顧客の手に把持される。ところが、展示の際にはフックを提げ手部から出してバーに吊り下げ、持ち帰りのときにはフックを提げ手部に格納しなければならない。このことは、以下の不利益がある。第一に、フックを提げ手部に対して出し入れしなければならず、手間がかかる。第二に、フックを提げ手部に出し入れするために、提げ手部（以下、「把持部」という。）を把持に好適な形状に形成することができない。第三に、フック部と提げ手部を別々に製造したうえで、組み合わせる必要があるから、製造工程が煩雑であり、かつ、製造コストが大きくなる。
【０００５】
本発明はかかる問題の解決を試みたものであり、展示のための吊り下げと把持の双方が可能であり、フック部（吊り下げ部）を把持部に出し入れする必要がなく、吊り下げ部と本体部を一体に成形することができる、衣服用ハンガーを提供することを目的とする。
【課題を解決するための手段】
【０００６】
第一の発明は、吊り下げ部と本体部とが一体に形成された衣服用ハンガーであって、前記吊り下げ部は、所定の上側曲率半径を有して形成された上側曲面部と、前記上側曲率半径未満の曲率半径であって、展示用バーに吊り下げるための所定の第一曲率半径を有して形成された下側曲面部と、を有する、衣服用ハンガーである。
【０００７】
第一の発明の構成によれば、衣服用ハンガーは、上側曲面部と下側曲面部との間において、曲率半径が異なる。上側曲面部によって、使用者が吊り下げ部を容易に把持することができる。そして、下側第一曲面部によって展示用バーに吊り下げることができる。すなわち、吊り下げ部が把持部としても機能する。これにより、展示のための吊り下げと把持の双方が可能であり、吊り下げ部を把持部に出し入れする必要がなく、吊り下げ部と本体部を一体に成形することができる。
【０００８】
第二の発明は、第一の発明の構成において、前記下側曲面部は、さらに、前記上側曲率半径未満の曲率半径であって、前記第一曲率半径以下の曲率半径である第二曲率半径を有して形成される、衣服用ハンガーである。
【０００９】
第三の発明は、第二の発明の構成において、前記上側曲率半径は、人間の手の平の曲率半径に基づいて規定されており、前記第二曲率半径は、人間の手の指の曲率半径に基づいて規定されている、衣服用ハンガーである。
【００１０】
第四の発明は、第三の発明の構成において、前記上側曲率半径は、１００ミリメートル（ｍｍ）以上３５０ミリメートル（ｍｍ）以下であり、前記第一曲率半径は、１０ミリメートル（ｍｍ）以上３５ミリメートル（ｍｍ）以下であり、前記第二曲率半径は、５ミリメートル（ｍｍ）以上３０ミリメートル（ｍｍ）以下である、衣服用ハンガーである。
【００１１】
第五の発明は、第一の発明の構成において、前記第一曲率半径以上の曲率半径である第三曲率半径を有する第二下側曲面部を有する、衣服用ハンガーである。
【発明の効果】
【００１２】
本発明によれば、展示のための吊り下げと把持の双方が可能であり、フック部（吊り下げ部）を把持部に出し入れする必要がなく、吊り下げ部と本体部を一体に成形することができる、衣服用ハンガーを提供することができる。
【図面の簡単な説明】
【００１３】
【図１】本発明の第一の実施形態に係る衣服用ハンガーの概略斜視図である。
【図２】衣服用ハンガーの概略平面図である。
【図３】衣服用ハンガーの吊り下げ部の概略平面図である。
【図４】展示用バーに吊り下げられた吊り下げ部を示す概略図である。
【図５】手に把持された吊り下げ部を示す概略図である。
【図６】本発明の第二の実施形態に係る衣服用ハンガーの吊り下げ部を示す概略平面図である。
【図７】衣服用ハンガーの吊り下げ部の概略平面図である。
【図８】展示用バーに吊り下げられた吊り下げ部を示す概略図である。
【図９】手に把持された吊り下げ部を示す概略図である。
【発明を実施するための形態】
【００１４】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００１５】
＜第一の実施形態＞
図１乃至図５は、本発明の第一の実施形態に係る衣服用ハンガー１（以下、「ハンガー１」という。）を示す図である。図１及び図２に示すように、ハンガー１は、本体部１０とフック部２０で構成されている。フック部２０は吊り下げ部の一例である。本明細書において、ハンガー１のフック部２０が位置する方向を「上側」と呼び、本体部１０が位置する方向を「下側」と呼ぶ。
【００１６】
本体部１０とフック部２０は、樹脂で一体に形成されている。ハンガー１は、樹脂を射出成型して形成される。本体部１０とフック部２０を別々に形成する必要はなく、本体部１０とフック部２０を組み合わせる工程も必要がない、
【００１７】
本体部１０には、衣服が吊るされる。フック部２０は、衣料店などの店舗における展示の際には、展示用バーに吊り下げられる。また、フック部２０は、顧客が衣料店から商品である衣服を持ち帰るときには、顧客に手に把持される。このように、フック部２０は、展示用バーに吊り下がる機能と、手に把持される機能の双方の機能を有する。
【００１８】
図１に示すように、ハンガー１は、所定の厚さαを有する。厚さαは、例えば、１０ミリメートル（ｍｍ）である。なお、厚さαは、ハンガー１における位置によって異なるように構成してもよい。例えば、フック部２０の厚さαよりも、本体部１０の厚さαを厚くし、さらに、本体部１０においても、中央部から両端部に向かうに連れて、厚さαを厚くするように構成してもよい。
【００１９】
図２に示すように、フック部２０は、下側部２２と上側部２４とで構成される。下側部２２の上面２２Ａと上側部２４との間は空間Ｓ１となっており、展示用バーや使用者の手を配置することができるように構成されている。
【００２０】
図３に示すように、上側部２４は、所定の曲率半径Ｒ１を有するように形成された上側曲面部２４Ａ、及び、下側曲面部２４Ｂを有する。下側曲面部２４Ｂは、凹部２４Ｂ１、２４Ｂ２及び２４Ｂ３を有する。このように、上側曲面部２４Ａは、凹凸を有さない一つの曲面として形成されている。これに対して、下側曲面部２４Ｂは、複数の凹部を有する曲面として形成されている。凹部２４Ｂ１、２４Ｂ２及び２４Ｂ３は、それぞれ、その上端部近傍の曲率半径が、曲率半径Ｒ２、Ｒ３及びＲ４となっている。曲率半径Ｒ２、Ｒ３及びＲ４は、いずれも、曲率半径Ｒ１未満である。
【００２１】
上述のように、曲率半径Ｒ１と、曲率半径Ｒ２、Ｒ３及びＲ４とは異なるように規定されている。曲率半径Ｒ２及びＲ４は、曲率半径Ｒ３以下の曲率半径である。曲率半径Ｒ１は上側曲率半径の一例であり、曲率半径Ｒ３は第一曲率半径の一例であり、曲率半径Ｒ２及びＲ４は第二曲率半径の一例である。
【００２２】
曲率半径Ｒ１は、人間の手の平の自然な状態における曲面を踏まえて規定されており、手による把持が容易になるように構成されている。曲率半径Ｒ１は、例えば、１００ミリメートル（ｍｍ）以上３５０ミリメートル（ｍｍ）以下である。なお、図３における曲率半径Ｒ１等は、説明の便宜のために記載されたものであり、図３に表示された曲率半径Ｒ１の長さは、必ずしも、曲率半径を正確に示すものではない。曲率半径Ｒ１等の長さは、本明細書の記載による。
【００２３】
曲率半径Ｒ３は、展示用バーに吊り下げるために好適な半径として規定されている。すなわち、展示用バーの曲率半径とほぼ等しく、わずかに大きい。曲率半径Ｒ３は、例えば、１０ミリメートル（ｍｍ）以上３５ミリメートル（ｍｍ）以下である。
【００２４】
曲率半径Ｒ２及びＲ４は、使用者の手の平が、上側曲面部２４Ａに接した状態で、指で下側曲面部２４Ｂを支持することで、使用者の手によってフック部２０を把持できるように、使用者の指の長さ方向と直交する方向の断面形状の曲率半径を踏まえて、指の曲率半径以上に規定されている。曲率半径Ｒ２及びＲ４は、例えば、５ミリメートル（ｍｍ）以上３０ミリメートル（ｍｍ）以下である。
【００２５】
図４に示すように、フック部２０の下側曲面部２４Ｂに形成された凹部２４Ｂ２によって、ハンガー１は展示用バー１００に吊り下がる。
【００２６】
図５に示すように、上側曲面部２４Ａが使用者の手１２０の手の平に接し、下側曲面部２４Ｂの凹部２４Ｂ１、２４Ｂ２及び２４Ｂ３が、使用者の手１２０の指で支持されることによって、フック部２０が手１２０に把持される。
【００２７】
＜第二の実施形態＞
図６乃至図９を参照して、第二の実施形態を説明する。なお、第一の実施形態と異なる部分についてのみ説明する。
【００２８】
図６に示すように、第二の実施形態のハンガー１Ａのフック部２０Ａには、上側曲面部３４Ａと下側曲面部３４Ｂのほか、第二下側曲面部３４Ｃが形成されている。ハンガー１Ａの上側曲面部３４Ａは、複数の凸面から形成されている。上側曲面部３４Ａは上側曲面部の一例であり、下側曲面部３４Ｂは下側曲面部の一例であり、第二下側曲面部３４Ｃは第二下側曲面部の一例である。
【００２９】
図７に示すように、下側曲面部３４Ｂの上方の曲面と下側曲面部３４Ｃの上方の曲面について、その平均的な面として曲面Ｘ１を想定し、上側曲面部３４Ａの曲率半径Ｒ１とする。曲面Ｘ１の曲率半径Ｒ１が上側曲率半径の一例である。
【００３０】
下側曲面部３４Ｃの曲率半径Ｒ５は、下側曲面部３４Ｂの曲率半径Ｒ３以上に規定されている。曲率半径Ｒ３は第一曲率半径の一例であり、曲率半径Ｒ５は第三曲率半径の一例である。  
【００３１】
図８に示すように、フック部２０Ａの下側曲面部３４Ｂを構成する凹部によって、ハンガー１Ａは展示用バー１００に吊り下がる。
【００３２】
図９に示すように、上側曲面部３４Ａが使用者の手１２０の手の平に接し、例えば、下側曲面部３４Ｂを構成する凹部が使用者の手１２０の人差指、下側曲面部３４Ｃを構成する凹部が使用者の手１２０の中指及び薬指で支持されることによって、フック部２０Ａが手１２０に把持される。下側曲面部３４Ｃの曲率半径Ｒ５は、複数の指と接することができるように、曲率半径Ｒ３よりも大きく、曲率半径Ｒ１よりも大きく規定されている。  
【００３３】
なお、本発明は本実施形態に限定されるものではなく、本発明の目的を達成できる範囲での変形、改良等は本発明に含まれるものである。
【符号の説明】
【００３４】
１，１Ａ  衣服用ハンガー
１０  本体部
２０，２０Ａ  フック部
【図１】
2019166251.tif 000003
【図２】
2019166251.tif 000004
【図３】
2019166251.tif 000005
【図４】
2019166251.tif 000006
【図５】
2019166251.tif 000007
【図６】
2019166251.tif 000008
【図７】
2019166251.tif 000009
【図８】
2019166251.tif 000010
【図９】
2019166251.tif 000011